(57)【要約】  【課題】構造が簡単で廉価に製造でき、別体のラベルを簡単に取着することができる一方、簡単には取り外しできず、挿し込んだラベルを安定保持できる育苗ポットを提供すること。  【解決手段】排水孔１２を有する底壁と、上端が略四角形状の開口縁２１で終端する傾斜周壁２０とからなり、略四角形状の開口縁２１より下方の４つの傾斜周壁２０にそれぞれ内方に窪む筐体形状又は帯状のラベル挿し部２２を有し、該ラベル挿し部２２に、別体ラベル脚部が挿し込みされる切込み孔２３ａ又は幅狭なスリット孔のいずれかが形成されているところに構成特徴がある。  【選択図】  図１
2005204672.tif 000002
【特許請求の範囲】
【請求項１】
排水孔を有する底壁と、上端が略四角形状の開口縁で終端する傾斜周壁とからなる育苗
用ポットにおいて、
略四角形状の開口縁より下方の４つの傾斜周壁にそれぞれ内方に窪む筐体形状又は帯状
のラベル挿し部を有し、該ラベル挿し部の天井面に、別体ラベル脚部が挿し込みされる切
込み孔又は幅狭なスリット孔のいずれかが形成されていることを特徴とするラベル挿し育
苗用ポット。
【発明の詳細な説明】
【技術分野】
【０００１】
本発明はラベル挿し育苗用ポットに関するものであり、より詳しくは、構造が簡単で容
易に製造でき、別体のラベルを簡単に取着できしかも簡単には取り外しできない使い勝手
に優れたラベル挿し育苗用ポットに関するものである。
【背景技術】
【０００２】
従来、ポリエチレンまたはポリプロピレン等の軟質合成樹脂製のポットを使用して育苗
した野菜や花卉等の植物苗をポットごと運搬したり、そのまま店頭にて展示販売する場合
、一般的には、植物の名称や原産地、栽培方法、成長後の要部外観形状等の各情報を表示
したラベルを添付している。
【０００３】
従来のラベルとしては、脚部を有する立札形状に形成されたものがあり、各ポット内の
培土に脚部を直接挿し込むか、締結具（ホッチキスなど）を使用して脚部をポットの周壁
に針止め固定していた。
【０００４】
また、苗育成用容器本体に設けられた鍔部に孔が形成されており、この孔に差し込まれ
た育成苗に関する情報が表示される表示板とからなる苗育成用容器（特許文献１）、単体
の育苗ポットの上端開口部の鍔部を切り込んでなる切込み孔に、脚部に掛止部を設けた立
札形状のラベルを挿し込み、当該切込み孔に前記掛止部を掛止するラベル挿し育苗用ポッ
トなど（特許文献２）が開示されている。
【０００５】
また、周壁に横一文字の切り込みを形成し、この切り込みにラベルの脚部を挿し込むよ
うに構成されたラベル挿し育苗用ポットも提案されている（特許文献３）。
【特許文献１】実公平７−４６１２８号公報、（第１図）
【特許文献２】実公平７−３３６４０号公報、（第３図）
【特許文献３】特開平１１−１９６６７７号公報、（第４図、第５図）
【発明の開示】
【発明が解決しようとする課題】
【０００６】
しかしながら、従来のポット内の培土に脚部を直接挿し込む方法は、ラベルの脚部を挿
し込む際、植物の根を傷め易く、また、ラベルの表示部を見易くするために大きくすると
必然的に挿し込み深さが深くなり、なおさら根を傷め易くしかも作業に手間取るという問
題があった。
【０００７】
また、生産現場から搬送中に、トラックの激しい振動や、積み降ろし時の強い衝撃を受
けると、ポットからはずれて植物苗を傷つけるトラブルが発生し易い。そして、このよう
なトラブルが生じると、出荷先は、傷付いた苗だけでなく、例えばトレー全体を引き取ら
ない場合が多く、出荷元にとっては大きな損失となっていた。
【０００８】
また、搬送時や展示中にラベルが抜け易く、しかも、一度抜け落ちると植物苗が幼苗で
例えば花の色などを正確に識別できないので、元のポットに正しく挿し戻せない等の問題
もあった。
【０００９】
なお、締結具（ホッチキス）を使用して針止め固定する方法は、ラベルの脚部を培土に
挿し込むものではないので植物の根を傷め難く、また、簡単には脱落しないという利点を
有するものの、ラベルを針止め固定する作業が誠に面倒であり作業に手間取るという問題
があった。また、ポットから植物苗を取り出して、花壇や家庭農園などに定植すると同時
に、回収したラベルを近傍に挿し込んでおくことが一般的であるが、この際に、ラベルを
きれいに取り外し難く、時には破れて再使用できなくなるなどの問題もあった。
【００１０】
実公平７−４６１２８号公報に記載の苗育成用容器は、ポット内の培土にラベルの脚部
を直接押し込まないために植物の根を傷め難く、締結具を使用して針止め固定する方法に
比べラベルを添付する手間が軽減できるという利点賀あるものの、鍔部の強度が脆弱であ
るため、ラベルを挿し込み難く、また、ラベルの重みにより鍔部が下方に垂れ下がるため
（適正な垂直方向に近い状態にラベルを保持できないため）、ラベルが前方に倒れ込み、
店頭で展示販売する際の消費者に、植物に関する各種情報を提供するというラベル機能が
十分に発揮できないという問題点があった。
【００１１】
本発明は、上記の問題に鑑みてなされたものであり、その目的とするところは、構造が
簡単で廉価に製造でき、別体のラベルを簡単に取着することができる一方、簡単には取り
外しできず、挿し込んだラベルを安定保持できる育苗ポットを提供するにある。
【課題を解決するための手段】
【００１２】
この課題を解決するために本発明が採用した手段は、請求項１の発明は、排水孔を有す
る底壁と、上端が略四角形状の開口縁で終端する傾斜周壁とからなる育苗用ポットにおい
て、略四角形状の開口縁より下方の４つの傾斜周壁にそれぞれ内方に窪む筐体形状又は帯
状のラベル挿し部を有し、該ラベル挿し部の天井面に、別体ラベル脚部が挿し込みされる
切込み孔又は幅狭なスリット孔のいずれかが形成されているところに特徴を有するラベル
挿し育苗用ポットを、その要旨とする。
【００１３】
なお、ラベル挿し部の内側が別体ラベルの脚部を案内するガイドとして作用する。
【発明の効果】
【００１４】
本発明のラベル挿し育苗用ポットによると、ラベルを見易くするために大きくしても、
従来のように、ポット内の培土に脚部を直接挿し込むものではないし、締結具を使用して
針止め固定するものではないから、植物の根を傷めることなくラベルを取り付けでき、出
荷時のラベル取り付け作業の向上が図れる。
【００１５】
また、生産現場から搬送中に、トラックの激しい振動や、積み降ろし時の強い衝撃を受
けても、ラベルがポットからはずれて植物苗を傷つけるというトラブルが発生しないので
、出荷時から店頭販売するまで一貫して使用できるなど、利便性と使い勝手に優れ、ラベ
ル装着時のポットの安定性が増大し、装着した別体ラベルを安定的に保持できる。また、
出荷元で取着されたラベルは、出荷、搬送、店頭展示まで一貫使用でき（利便性に優れ）
、生産者、販売者及び購入者の誤認や取違えを防止できる。
【００１６】
また、ポットから別体ラベルを破損することなく回収でき、必要に応じて、定植した植
物苗の近傍に確実に挿し込みできる。
【００１７】
さらに、ラベルが回転して横を向くことがないから複数のポットを店頭に並べたときに
、ラベルの向きが揃って見栄えが良く、さらには、展示中に抜け落ちし難く、ラベルを挿
し替えてレジを通過する等の不正行為を防止することもできる。
【００１８】
また、花壇や家庭農園などに植物苗を定植する際に、ラベルをきれいに取り外しできる
から、定植位置の近傍に挿し込み再利用できるなど、極めて実効性に優れた作用効果が得
られる。
【００１９】
特に、本発明に係るラベル挿し育苗用ポットにおいて、前記ラベル挿し部より下方の傾
斜周壁部分に上下方向のリブが形成されていると、上記作用効果に加えて、別体ラベルの
脚部を上下方向のリブが押圧するためラベルの位置ズレを防止できさらに、育苗した植物
根の根巻き（ルーピング）を防止できる。
【００２０】
また、ラベル挿し育苗用（単体）ポットの複数個が、トレイ状で分離可能に連結されて
いると、多数の育苗ポットを一括収容できる一般的な枠体ケースに対してその複数を一括
収容することができる。すなわち、ラベル挿し育苗用ポットの単体を１個ずつ収容する場
合に比べて、その収容作業を短時間で効率よく実施できるため、その経済効果、波及効果
が極めて大きい。
【発明を実施するための最良の形態】
【００２１】
本発明の実施の形態を、その代表的な実施例に基づいて説明するが、本発明の要旨を越
えない範囲内で様々な設計変更が可能である。
【００２２】
本発明の育苗ポットを製造するための材質を特に限定するものではないが、成型し易さ
やコストなどの観点からは、ポリエチレン（ＰＥ）、ポリプロピレン（ＰＰ）等の合成樹
脂を素材として使用し成形されていることが好ましく、地球環境汚染防止の観点からは、
ポリ乳酸やカプロラクトン等の脂肪族ポリエステル樹脂などの生分解性の素材を使用して
成形されていることが好ましい。
【００２３】
本発明の育苗ポットは、合成樹脂シートを真空成形、真空圧空成形あるいは圧空成形な
どの公知成形法にて型成型して製造したシートを、例えばトムソン刃のような抜き刃金型
を使用して打ち抜いて育苗ポット単体に切り離し、ついで、ラベル挿し用の切込み孔又は
スリット孔と排水孔を形成することで簡単に製造できる。なお、抜き刃金型を使用して打
ち抜く際に、互いに隣接する育苗ポット単体間に僅かな幅の切り残し、この部分を互いに
分離可能な連結部２８となるように形成すると、所謂連結タイプのラベル挿し育苗用ポット１’（図６参照）として製造できる。
【００２４】
図１は第１実施例のラベル挿し育苗用ポット（単体）１の概略斜視図であり、図２は同
ポット１の正面図、図３は同ポット１の平面図である。図４は図３の Ａ−Ａ線に沿った
要部断面図であり、図５は図４のＢ−Ｂ線に沿った拡大図である。
【００２５】
図において、この育苗ポット１は、排水孔１２を有する円形の底壁１０から上方に向か
って拡径し開口縁２１で終端する傾斜周壁２０と、該傾斜周壁２０より内方に窪む筐体形
状のラベル挿し部２２と、該ラベル挿し部２２の天井面と底面の両方に形成されたラベル
挿し孔２３たる切込み孔（又はスリット孔）２３ａ、２３ｂとから構成されている。なお
、開口縁２１とは、傾斜周壁２０の上端開口端縁より外方に連続する耳部を有する場合を
も含む用語として定義する。
【００２６】
上記育苗ポット１は、傾斜周壁２０の横断面がほぼ円形に形成されているが、例えば、
底壁（底面）１０が円形で上端開口部がほぼ正方形であり、その間の傾斜周壁２０は円形
の底壁１０の周縁から若干立ち上がった直後からほぼ正方形をなすものであっても良いし
、円形の底壁１０の周縁から若干立ち上がった部分まで円形でそこから開口縁までほぼ正
方形をなすものであっても構わないなど、その外観形状などを限定するものではない。
【００２７】
切込み孔（又はスリット孔）２３ａ，２３ｂは、ラベル挿し部２２の天井面と底面に対
してトムソン刃にて幅狭な一直線状に打ち抜き形成されているが、例えば、略Ｗ字形状の
線状に打ち抜き形成されていても、Ｖ字状に打ち抜き形成されていても、さらには、波形
状に打ち抜き形成されていても構わないなど、その寸法や全体形状を限定するものではな
い。また、例えばラベル挿し部２２の天井面のラベル挿し用の切込み部分を幅広なスリッ
ト孔（開口）として形成し、ついで、底面に切込み孔２３ｂを形成するなど自在に設計変
更できるものとする。
【００２８】
なお、天井面に幅広なスリット孔を有し底面に切込み孔を有する筐体形状のラベル挿し
部にあっては、ラベル挿し部の内側が別体ラベルの脚部を案内するガイドとして作用する
。
【００２９】
ラベル挿し部２２の下方の傾斜周壁２０部分には、上下方向のリブ２４が形成されてお
り、別体のラベル３０の脚部３２を押圧して固定する外、内部で育苗される植物根の根巻
き（ルーピング）防止用の構成要素として作用するようになっている。ただし、ラベル挿
し部２２の寸法形状、傾斜周壁部分における配設位置などを限定するものではなく、また
、例えば傾斜周壁の１側面だけでも、４側壁面のそれぞれに形成するなどその数量を限定
するものでもなく、さらに、例えば楕円形状であるなお上記の矩形以外の筐体状など、様
々に設計変更できるものとする。
【００３０】
底壁１０には排水孔１２が穿設されているが、その寸法形状や数量（排水孔が穿設され
ていなくても構わない）、穿設位置などを限定するものではなく、例えば、灌水過剰によ
る根腐され等を防止すべく、底壁の隅部４カ所に排水孔を穿設するなど、適宜設計変更で
きるものとする。
【００３１】
なお、ラベル挿し育苗用ポット１の傾斜周壁２０が円形の底壁周縁から若干立ち上がっ
た直後からほぼ正方形に形成されており、かつ、ラベル挿し部２１の外面側が傾斜周壁２
０と略同一の平面状となるように構成されていると、多数個の育苗ポットを一括収容する
一般的な枠体ケースに対して、当該ラベル挿し育苗用ポットを歪ませることなく原形のま
ま保持できるから好適である（図示しない）。
【００３２】
また、ラベル挿し育苗用ポットの傾斜周壁に、半径方向に連続する帯状のラベル挿し部
として形成されていると（図示しない）、その複数個を重ねてスリット孔を二次加工する
に際し、ラベル挿し部を位置決めする作業が不要となるため、例えば第１実施例のラベル
挿し育苗用ポットラベルの場合よりも係る作業性が著しく向上するので、極めて好適であ
る。
【００３３】
つぎに、本発明に係わるラベルを製造するための材質もまた特に限定するものではない
が、表面に印刷ができ全面が撥水性であることが好ましい。成型性やコスト、印刷易容性
などの観点からは、ポリエチレン（ＰＥ）、ポリプロピレン（ＰＰ）、ポリスチレン（Ｐ
Ｓ）、ＡＢＳ等の合成樹脂を素材として使用して製造されていることが好ましく、地球環
境汚染防止の観点からは、ポリ乳酸やカプロラクトン等の脂肪族ポリエステル樹脂、古紙
を含む植物繊維などの生分解性の素材を使用して製造されていることが好ましい。なお、
表示板の全体形状や寸法形状等を制限するものでもなく、適宜設計変更可能な事項とする
。
【００３４】
図７のラベル３０はポリエチレンシートを抜き成形して製造したものであり、植物名、
原産地、栽培方法等の情報を印刷表示した表示部３１と、脚部３２とからなる立札形状を
なしており、脚部３２に係止爪３３を有しラベル挿し育苗用ポット１の一直線状の切込み
孔（又はスリット孔）２３ａ，２３ｂに対して係着できるようになっている。ただし、ラ
ベル３０の脚部３２の全体形状を限定するものではなく、その全体形状や寸法形状などを
設計変更することができるものとする。
【００３５】
つぎに、別体のラベル３０は、上記第１実施例の育苗ポット１に対してつぎのように取
り付けされる。
【００３６】
図８は上記第１実施例のポット１に備えたラベル挿し部２２に別体ラベル３０を固定し
た状態を示す正面図であり、図９はその要部断面図である。
【００３７】
まず、ラベル３０の脚部３２を内方向に二つ折りするように屈曲させ、ラベル挿し部２
２に形成された天井面の切込み孔（又はスリット孔）２３ａに挿し込み、ついで、脚部３
２の先端部分を、底面の切込み孔（又はスリット孔）２３ｂから傾斜周壁２０より内方に
向けて挿し込みする。
【００３８】
そうすると、ラベルの脚部３２両側に設けた係止片３３が、ラベル挿し部２２の切込み
孔（又はスリット孔）２３ａ、２３ｂに引っ掛かっるため、当該ポットから簡単には引き
抜けず、かつ、それ以上差し込めないように取り付けできる。しかし、切込み孔（又はス
リット孔）２３ａ，２３ｂよりラベル３０の脚部３２を慎重に抜き取ればきれいに取り外
しできるので、これを、植物苗を移植した位置近傍に挿し込み、再使用することもできる
。
【００３９】
また、ラベルが回転して横を向くことがなく、ラベルの脚部３２先端部分を傾斜周壁２
０と培土Ｘとの間に配することができるため、当該ラベル挿し育苗用ポット複数を店頭に
並べたときにラベルの向きが揃って見栄えが良く、展示中に抜け落ちし難く、ラベルを挿
し替えてレジを通過する等の不正行為を防止することができ、さらに、脚部３２の先端部
分によって隣接する植物を損傷させることがないなど、極めて実効性に優れた作用効果が
得られるのである。
【図面の簡単な説明】
【００４０】
【図１】図１は本発明の実施例となる一ラベル挿し育苗用ポットを模式的に示す概略    斜視図である。
【図２】図２は図１のラベル挿し育苗用ポットの平面図である。
【図３】図３は図１のラベル挿し育苗用ポットの正面図である。
【図４】図４は図３の Ａ−Ａ線に沿った要部断面図である。
【図５】図５は図４の Ｂ−Ｂ線に沿った拡大図である。
【図６】図６は、図１のラベル挿し育苗用ポット複数を縦横で同一平面トレイ形状に    配し、互いに分離可能に連結した所謂連結ポットを示す部分平面図である。
【図７】図７は本発明に係るラベル挿し育苗用ポットに別体ラベルを取着した一状態    を概略的に示す正面図である。
【図８】図８は図７の要部断面図である。
【符号の説明】
【００４１】
１    ラベル挿し育苗用ポット
１’  ラベル挿し育苗用ポット（連結タイプ）
１０    底壁
１２    排水孔
２０    傾斜周壁
２１    開口縁
２２    ラベル挿し部
２３    ラベル挿し孔
２３ａ  切込み孔（もしくはスリット孔）
２３ｂ  切込み孔（もしくはスリット孔）
２４    リブ
３０    ラベル
３１    表示部
３２    脚部
３３    係止爪
Ｘ      培土
【図１】
2005204672.tif 000003
【図２】
2005204672.tif 000004
【図３】
2005204672.tif 000005
【図４】
2005204672.tif 000006
【図５】
2005204672.tif 000007
【図６】
2005204672.tif 000008
【図７】
2005204672.tif 000009
【図８】
2005204672.tif 000010